(57)【要約】【課題】迷子の居場所などを適正かつ迅速に知得可能にする情報提供システムを提供する。【解決手段】多数の人が入場する施設に設けられ表示部を有する情報提供端末３と、入場者Ｍに装着され現在位置を検出する機能を備えた装着端末２とが、通信自在に接続され、情報提供端末３は、装着端末２の識別情報が入力されると、該装着端末２から現在位置を取得して該現在位置を表示部に表示する位置情報提供手段を備える。【選択図】図１
2020077153.tif 000002
【特許請求の範囲】
【請求項１】
多数の人が入場する施設に設けられ表示部を有する情報提供端末と、入場者に装着され現在位置を検出する機能を備えた装着端末とが、通信自在に接続され、
前記情報提供端末は、前記装着端末の識別情報が入力されると、該装着端末から現在位置を取得して該現在位置を前記表示部に表示する位置情報提供手段を備える、
ことを特徴とする情報提供システム。
【請求項２】
複数の前記装着端末がグループ化され、
前記位置情報提供手段は、前記グループの識別情報が入力されると、該グループに属するすべての装着端末の現在位置を前記表示部に表示する、
ことを特徴とする請求項１に記載の情報提供システム。
【請求項３】
前記装着端末は、所定の地点と現在位置とに基づいて、前記所定の地点に向かう方向を示す方向指示手段を備える、
ことを特徴とする請求項１または２のいずれか１項に記載の情報提供システム。
【請求項４】
前記所定の地点が、現在位置から一番近い情報提供端末である、
ことを特徴とする請求項３に記載の情報提供システム。
【請求項５】
前記情報提供端末は、前記施設内に配設されたカメラで撮影された画像を前記表示部に表示する、
ことを特徴とする請求項１から４のいずれか１項に記載の情報提供システム。
【請求項６】
前記情報提供端末は、前記施設内の設備の混雑状況を前記表示部に表示する、
ことを特徴とする請求項１から５のいずれか１項に記載の情報提供システム。
【発明の詳細な説明】
【技術分野】
【０００１】
本発明は、スキー場などの施設において、入場者に各種情報を提供する情報提供システムに関する。
【背景技術】
【０００２】
例えば、スキー場において、子供が迷子になったり、滑走者が道に迷ったりする場合があり、このような場合、親や仲間が探しまわらなければならず、多大な時間と労力を要するばかりでなく、探し出せないおそれもあった。このため、遭難者を早期に発見できる、という監視システムが知られている（例えば、特許文献１参照。）。この監視システムは、各ポイント地点にＩＣタグの読込書込手段が設けられ、この読込書込手段で取得されるＩＣタグ所持者のマップ情報に基づいて、ＩＣタグ所持者が所定エリア内にいるか否かを判断して、その警告表示をマップ情報とともに表示手段に表示するものである。
【先行技術文献】
【特許文献】
【０００３】
【特許文献１】特開２００８−３０５３０７号公報
【発明の概要】
【発明が解決しようとする課題】
【０００４】
しかしながら、特許文献１に記載の監視システムでは、ポイント地点に読込書込手段が設けられ、ＩＣタグ所持者がポイント地点を通過したことがわかるだけであり、ＩＣタグ所持者が現在どこにいるかを知得することはできない。特に、ＩＣタグ所持者がポイント地点の外側（所定エリア外）に出た場合には、ＩＣタグ所持者の居場所が全くわからなくなってしまう。また、広いエリアにわたって多数のポイント地点に読込書込手段を設けると、多大な費用を要する。
【０００５】
さらに、マップ情報や警告表示が表示される監視装置は、管理センタに１つ設けられているだけであり、スキー場の迷子や滑走者などは、マップ情報などを見ることができない。このため、迷子や滑走者は、自分が今どこにいるのか、どのようにセンターハウス（レストハウス）まで戻ればよいかなどを知ることができず、危険な状態に陥るおそれがある。また、親や仲間も、管理センタに行かなければマップ情報などを見ることができず、子供などの発見が遅れてしまうおそれがある。
【０００６】
そこで本発明は、迷子の居場所などを適正かつ迅速に知得可能にする情報提供システムを提供することを目的とする。
【課題を解決するための手段】
【０００７】
上記課題を解決するために、請求項１に記載の発明は、多数の人が入場する施設に設けられ表示部を有する情報提供端末と、入場者に装着され現在位置を検出する機能を備えた装着端末とが、通信自在に接続され、前記情報提供端末は、前記装着端末の識別情報が入力されると、該装着端末から現在位置を取得して該現在位置を前記表示部に表示する位置情報提供手段を備える、ことを特徴とする情報提供システムである。
【０００８】
この発明によれば、多数の入場者がいる施設において、情報提供端末にある入場者の装着端末の識別情報を入力すると、この装着端末つまり入場者の現在位置が表示部に表示される。
【０００９】
請求項２に記載の発明は、請求項１に記載の情報提供システムにおいて、複数の前記装着端末がグループ化され、前記位置情報提供手段は、前記グループの識別情報が入力されると、該グループに属するすべての装着端末の現在位置を前記表示部に表示する、ことを特徴とする。
【００１０】
請求項３に記載の発明は、請求項１または２に記載の情報提供システムにおいて、前記装着端末は、所定の地点と現在位置とに基づいて、前記所定の地点に向かう方向を示す方向指示手段を備える、ことを特徴とする。
【００１１】
請求項４に記載の発明は、請求項３に記載の情報提供システムにおいて、前記所定の地点が、現在位置から一番近い情報提供端末である、ことを特徴とする。
【００１２】
請求項５に記載の発明は、請求項１から４に記載の情報提供システムにおいて、前記情報提供端末は、前記施設内に配設されたカメラで撮影された画像を前記表示部に表示する、ことを特徴とする。
【００１３】
請求項６に記載の発明は、請求項１から５に記載の情報提供システムにおいて、前記情報提供端末は、前記施設内の設備の混雑状況を前記表示部に表示する、ことを特徴とする。
【発明の効果】
【００１４】
請求項１に記載の発明によれば、多数の入場者がいるスキー場などの施設において、情報提供端末に装着端末の識別情報を入力するだけで、この装着端末を装着した入場者の現在位置が表示されるため、迷子などの居場所を適正かつ迅速に知得することが可能となる。しかも、入場者が装着する装着端末自体に現在位置を検出する機能を備えるため、広いエリアにわたって入場者の居場所を知ることができ、例えば、滑走禁止エリアや管理エリア外に迷い込んでも、確実に居場所を知ることができる。
【００１５】
さらに、情報提供端末を複数の要所に配設することで、迷子や道に迷った滑走者なども、情報提供端末に装着端末の識別情報を入力することで、自分が今どこにいるのかを知ることができる。同様に、親や仲間もセンターハウスなどに行かなくても、近くの情報提供端末で迷子などの居場所を迅速に知ることができる。
【００１６】
請求項２に記載の発明によれば、情報提供端末にグループの識別情報を入力することで、このグループに属するすべての装着端末つまり入場者の現在位置が表示されるため、家族や仲間全員の居場所を適正かつ迅速に知得することが可能となる。特に、全員の装着端末の識別情報を入力する必要がないため、迅速に全員の居場所を知ることができるとともに、個々の装着端末の識別情報を知らなくてもグループの識別情報を入力するだけでよいため、適正に全員の居場所を知ることができる。また、迷子や道に迷った滑走者なども、全員の居場所を知得できるため、より近くにいる家族や仲間の方に向かうことができる。
【００１７】
請求項３に記載の発明によれば、センターハウスなどの所定の地点に向かう方向が装着端末に示されるため、迷子や道に迷った滑走者などは、どの方向に向えばよいのかを知ることができ、危険な状態を早期に回避することが可能となる。
【００１８】
請求項４に記載の発明によれば、現在位置から一番近い情報提供端末に向かう方向が装着端末に示されるため、迷子や道に迷った滑走者などは、どの方向に向えばよいのかを知ることができ、早期に不安を解消することが可能となる。
【００１９】
請求項５に記載の発明によれば、カメラで撮影された画像が情報提供端末に表示されるため、入場者は、施設内の様子や状況を知ることができ、利便性が向上するとともに、家族や仲間の様子を見て楽しむことができる。
【００２０】
請求項６に記載の発明によれば、施設内の設備の混雑状況が情報提供端末に表示されるため、入場者は、施設の位置、混雑具合、待ち時間などを知ることができ、効率的に設備を利用することが可能となり、利便性が向上する。
【図面の簡単な説明】
【００２１】
【図１】この発明の実施の形態に係る情報提供システムを示す概略構成図である。
【図２】図１の情報提供システムの装着端末を示す外観図である。
【図３】図２の装着端末の概略構成ブロック図である。
【図４】図１の情報提供システムの情報提供端末を示す外観図である。
【図５】図４の情報提供端末の概略構成ブロック図である。
【図６】図５の情報提供端末に記憶されたグループ情報のデータ構成を示す図である。
【図７】図４の情報提供端末に、グループに属する入場者の居場所が表示された状態を示す図である。
【図８】図１の情報提供システムの動作を示すタイミングチャートである。
【発明を実施するための形態】
【００２２】
以下、この発明を図示の実施の形態に基づいて説明する。
【００２３】
図１は、この発明の実施の形態に係る情報提供システム１を示す概略構成図である。この情報提供システム１は、多数の人が入場する施設において、入場者Ｍに各種情報を提供するシステムであり、主として、複数の装着端末２と、複数の情報提供端末３と、複数の設備カメラ４と、を備える。ここで、この実施の形態では、施設がスキー場であり、リフト１０１の下方にセンターハウス（レストハウス）１０２が設置されている場合について説明する。また、各装着端末２と各情報提供端末３および、各設備カメラ４と各情報提供端末３は、通信自在に接続されている。
【００２４】
装着端末２は、入場者Ｍに装着されるウエアブル端末であり、具体的には、図２に示すような腕時計型で、入場者Ｍの腕に装着される。この装着端末２は、図３に示すように、通信部２１と、入力部２２と、表示部（方向指示手段）２３と、ＧＰＳ部２４と、メモリ２５と、方向演算部（方向指示手段）２６と、これらを制御などする中央処理部２７と、を備える。
【００２５】
通信部２１は、各情報提供端末３と通信するためのインターフェイスである。入力部２２は、各種の指令や情報を入力するためのインターフェイス、操作部であり、例えば、装着端末２をグループ化した場合のグループの識別情報（グループＩＤ）を入力したり、後述する方向表示機能を起動させたりするものである。表示部（方向指示手段）２３は、各種情報を表示するディスプレイであり、例えば、図２に示すように、進むべき方向やその地点（図２では、「Ａリフト」）などを表示するものである。ここで、入力部２２と表示部２３をタッチパネルで構成してもよい。
【００２６】
ＧＰＳ部２４は、ＧＰＳ衛星から時刻信号電波を受信して、装着端末２の現在位置の緯度と経緯を演算、検出するものである。メモリ２５は、各種情報を記憶する記憶部であり、例えば、この装着端末２の識別情報（装着端末ＩＤ）や、この装着端末２が属するグループのグループＩＤ、道に迷ったときに帰着したい所定の地点、例えばセンターハウス１０２の位置（緯度と経緯）などが記憶される。ここで、装着端末ＩＤは、固定値として予め記憶されており、グループＩＤと所定の地点は変更自在となっている。そして、装着端末ＩＤまたはグループＩＤを含む位置要求信号を情報提供端末３から受信し、この装着端末ＩＤまたはグループＩＤがメモリ２５に記憶された装着端末ＩＤまたはグループＩＤと一致する場合には、ＧＰＳ部２４で検出した現在位置の緯度と経緯を情報提供端末３に送信する。
【００２７】
方向演算部２６は、所定の地点（以下、現在位置から一番近い情報提供端末３の地点の場合について説明する。）と現在位置とに基づいて、情報提供端末３に向かう方向を演算するものである。すなわち、入力部２２によって方向表示機能を起動する指令が入力されると起動され、メモリ２５に記憶された各情報提供端末３の緯度と経緯と、ＧＰＳ部２４で検出された装着端末２の現在位置の緯度と経緯とに基づいて、現在位置から一番近い情報提供端末３に向かう方向、方位を演算する。そして、演算結果である方位を表示部２３に、図２に示すような矢印で表示するものである。ここで、装着端末２には、装着端末２の向きを検出するジャイロを備え、装着端末２の向きが変わっても矢印が常に情報提供端末３に向くようになっている。
【００２８】
このように、この実施の形態では、入力部２２が操作されることで方向表示機能が起動するようになっているが、装着端末２がセンターハウス１０２から所定距離以上離れた場合や、滑走禁止エリアに浸入した場合などに、自動的に方向演算部２６が起動して方向を表示部２３に表示するとともに、警報音を出すようにしてもよい。
【００２９】
このような装着端末２は、すべての入場者Ｍに装着されてもよいし、一部の入場者Ｍのみに、例えば、子供のみに装着されてもよい。例えば、子供のみに装着される場合、親には装着端末ＩＤやグループＩＤが知らされる。また、複数の装着端末２をグループ化する場合、同一グループに属するすべての装着端末２に対して、入力部２２からグループＩＤを設定、入力してメモリ２５に記憶する。なお、装着端末ＩＤやグループＩＤなどを、通信によってメモリ２５に記憶するようにしてもよい。
【００３０】
情報提供端末３は、スキー場の複数の要所に配設される端末であり、図４に示すような自立型の表示体で、図５に示すように、通信部３１と、タッチパネル（表示部）３２と、端末カメラ３３と、地理データベース３４と、メモリ３５と、画像表示タスク３６と、位置情報タスク（位置情報提供手段）３７と、混雑状況タスク３８と、これらを制御などする中央処理部３９と、を備える。
【００３１】
通信部３１は、各装着端末２および各設備カメラ４と通信するためのインターフェイスである。タッチパネル３２は、表示部と入力部を兼ねるパネルで、各種の指令や情報を入力するためのインターフェイスであるとともに、各種情報を表示するディスプレイである。端末カメラ３３は、図４に示すように、タッチパネル３２の上部に設けられたカメラであり、ゲレンデなどを常時撮影するものである。
【００３２】
地理データベース３４は、スキー場を含む周辺地域の地図情報を記憶するデータベースであり、例えば、リフト１０１を含むゲレンデの地図、位置や、センターハウス１０２の外観、位置などが記憶されている。メモリ３５は、各種情報を記憶する記憶部であり、例えば、グループ化された装着端末２に関するグループ情報を記憶する。具体的には、図６に示すように、グループＩＤごとに、このグループに属するすべての装着端末ＩＤが記憶される。ここで、グループ化されていない装着端末２に対しては、その装着端末ＩＤのみが記憶される。
【００３３】
画像表示タスク３６は、スキー場内に配設されたカメラで撮影された画像をタッチパネル３２に表示するタスク・プログラムである。ここで、カメラには、端末カメラ３３のみならず他の場所に設置されたカメラも含み、複数のカメラがある場合には、所定の順番で各カメラの画像を順次表示したり、選択されたカメラの画像を表示したりできるようになっている。この画像表示タスク３６は、平常時において常時起動している。
【００３４】
位置情報タスク３７は、指定された装着端末２の現在位置をタッチパネル３２に表示するタスク・プログラムである。すなわち、タッチパネル３２で所定の入力操作が行われると起動し、装着端末ＩＤが入力されると、この装着端末ＩＤを含む位置要求信号をすべての装着端末２に対して送信する。そして、該当する装着端末２から現在位置を受信すると、この現在位置が印された周辺地図（周辺画像）をタッチパネル３２に表示する。
【００３５】
また、グループＩＤが入力された場合には、このグループＩＤを含む位置要求信号をすべての装着端末２に対して送信する。そして、該当する装着端末２から現在位置を受信すると、図７に示すように、それぞれの装着端末２の現在位置が印された周辺画像をタッチパネル３２に表示する。このようにして、同一グループに属するすべての装着端末２の現在位置を表示する。なお、図７中の黒丸が装着端末２の現在位置を示す。
【００３６】
ここで、装着端末ＩＤやグループＩＤなどの入力を、装着端末２や電子カードなどからＲＦＩＤやＢｕｌｅＴｏｏｔｈといった近距離無線通信で行ってもよい。また、タッチパネル３２で所定の操作を行うことで、すべての装着端末２の装着端末ＩＤを含む位置要求信号が送信され、全装着端末２の現在位置がタッチパネル３２に表示されるようになっている。この際、グループごとに色分けなどされて識別表示される。
【００３７】
混雑状況タスク３８は、スキー場の各設備の混雑状況をタッチパネル３２に表示するタスク・プログラムであり、この実施の形態では、第１に、各リフト１０１の混雑状況を表示する。すなわち、図１に示すように、各リフト１０１のリフト乗り場に設備カメラ４が配設され、この設備カメラ４でリフト乗り場周辺を撮影して、その画像を常時情報提供端末３に送信する。
【００３８】
そして、混雑状況タスク３８は、設備カメラ４からの画像を画像解析して、リフト待ちしている入場者数から待ち時間を割り出し、その待ち時間をタッチパネル３２に表示する。例えば、図４に示すように、画像表示タスク３６によってスキー場の光景がタッチパネル３２に表示されている際には、その画像の余白部に対象設備と待ち時間を表示する。
【００３９】
また、指定された設備の混雑状況を表示できるようにもなっている。この場合にも、各設備に、設備カメラ４などの状況を把握するための監視機器が配設されている。そして、タッチパネル３２で所定の入力操作が行われ、設備（例えば、レストラン）が指定されると、その設備の設備カメラ４などから画像等を受信する。続いて、画像等を解析して待ち時間などを割り出し、タッチパネル３２に表示する。
【００４０】
このような情報提供端末３は、センターハウス１０２の近くやリフト乗り場近くなどに配設されているほか、滑走禁止エリアにも配設されている。このため、入場者Ｍが滑走禁止エリアに浸入してしまった場合でも、情報提供端末３から情報を取得することができる。また、すべての情報提供端末３において、上記のような機能、構成を備える必要はなく、一部の機能をサーバや特定の情報提供端末３に持たせてもよい。例えば、各情報提供端末３には通信部３１とタッチパネル３２を備え、サーバに地理データベース３４や各タスク３６〜３８を備える。そして、情報提供端末３からの要求に応じてサーバが各タスク３６〜３８を起動して、各種情報を情報提供端末３のタッチパネル３２に表示するようにしてもよい。このように、情報提供端末３を簡易化、低コスト化することで、より多くの情報提供端末３を配設することが可能となる。
【００４１】
次に、このような構成の情報提供システム１の動作について、図８に従って説明する。ここで、スキー場への入場時に入場者Ｍに装着端末２が装着され、グループ化した場合には、グループＩＤが装着端末２に入力、記憶され、グループ化しない場合には、グループＩＤが「ＮＵＬＬ」として記憶されている。
【００４２】
まず、平常時には情報提供端末３の画像表示タスク３６が常時起動され（ステップＳ１）、端末カメラ３３などのカメラで撮影された画像がタッチパネル３２に表示される。また、各リフト乗り場の設備カメラ４からの画像が常時情報提供端末３に送信され（ステップＳ２）、混雑状況タスク３８で画像解析されて各リフト１０１の待ち時間がタッチパネル３２に表示される（ステップＳ３）。同様に、タッチパネル３２で所定の入力操作を行って設備を指定すると、その設備の監視機器から受信した画像等が解析されて、待ち時間などがタッチパネル３２に表示される。
【００４３】
一方、入場者Ｍが道に迷ったりした際に、装着端末２の入力部２２で方向表示機能を起動する指令（方向要求）を入力すると（ステップＳ４）、方向演算部２６が起動され、現在位置から一番近い情報提供端末３に向かうための方向、方位が演算されて、表示部２３に表示される（ステップＳ５）。
【００４４】
また、子供や仲間を見失った入場者Ｍが、近くの情報提供端末３のタッチパネル３２で所定の入力操作を行うと、位置情報タスク３７が起動され（ステップＳ６）、見失った子供などが装着している装着端末２の装着端末ＩＤやグループＩＤを入力すると（ステップＳ７）、この装着端末ＩＤやグループＩＤを含む位置要求信号がすべての装着端末２に送信される（ステップＳ８）。そして、該当する装着端末２から現在位置を受信すると（ステップＳ９）、この現在位置が印された周辺画像がタッチパネル３２に表示される（ステップＳ１０）。
【００４５】
このように、この情報提供システム１によれば、多数の入場者Ｍがいるスキー場などにおいて、情報提供端末３に装着端末２の装着端末ＩＤを入力するだけで、この装着端末２を装着した入場者Ｍの現在位置が表示されるため、迷子などの居場所を適正かつ迅速に知得することが可能となる。しかも、入場者Ｍが装着する装着端末２自体に現在位置を検出する機能つまりＧＰＳ部２４を備えるため、広いエリアにわたって入場者Ｍの居場所を知ることができ、例えば、滑走禁止エリアや管理エリア外に迷い込んでも、確実に居場所を知ることができる。
【００４６】
さらに、情報提供端末３が複数の要所に配設されているため、迷子や道に迷った滑走者なども、情報提供端末３に自分の装着端末ＩＤを入力することで、自分が今どこにいるのかを知ることができる。同様に、親や仲間もセンターハウス１０２などに行かなくても、近くの情報提供端末３で迷子などの居場所を迅速に知ることができる。
【００４７】
また、情報提供端末３にグループＩＤを入力することで、このグループに属するすべての装着端末２つまり入場者Ｍの現在位置が表示されるため、家族や仲間全員の居場所を適正かつ迅速に知得することが可能となる。特に、全員の装着端末２の装着端末ＩＤを入力する必要がないため、迅速に全員の居場所を知ることができるとともに、個々の装着端末ＩＤを知らなくてもグループＩＤを入力するだけでよいため、適正に全員の居場所を知ることができる。また、迷子や道に迷った滑走者なども、全員の居場所を知得できるため、より近くにいる家族や仲間の方に向かうことができる。
【００４８】
一方、センターハウス１０２などの所定の地点に向かう方向が装着端末２に表示されるため、迷子や道に迷った滑走者などは、どの方向に向えばよいのかを知ることができ、危険な状態を早期に回避することが可能となる。具体的にこの実施の形態では、現在位置から一番近い情報提供端末３に向かう方向が装着端末２に示されるため、迷子や道に迷った滑走者などは、どの方向に向えばよいのかを知ることができ、早期に不安を解消することが可能となる。
【００４９】
また、端末カメラ３３などで撮影された画像が情報提供端末３に表示されるため、入場者Ｍは、スキー場内の様子や状況を知ることができ、利便性が向上するとともに、家族や仲間の様子を見て楽しむことができる。さらに、撮影された画像・動画は入場者Ｍのスマートフォンにも送信可能であり、家族や仲間の様子を見て楽しむことができる。
【００５０】
さらに、スキー場内の各設備の混雑状況が情報提供端末３に表示されるため、入場者Ｍは、施設の位置、混雑具合、待ち時間などを知ることができ、効率的に設備を利用することが可能となり、利便性が向上する。
【００５１】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、施設がスキー場の場合について説明したが、その他の施設、例えば、遊園地などであってもよい。また、提供する情報として、気象情報や宣伝広告、道路交通情報、防災情報などを含めてもよい。
【００５２】
１        情報提供システム
２        装着端末
２１      通信部
２２      入力部
２３      表示部（方向指示手段）
２４      ＧＰＳ部（位置検出手段）
２５      メモリ
２６      方向演算部（方向指示手段）
３        情報提供端末
３１      通信部
３２      タッチパネル（表示部）
３３      端末カメラ
３４      地理データベース
３５      メモリ
３６      画像表示タスク
３７      位置情報タスク（位置情報提供手段）
３８      混雑状況タスク
４        設備カメラ
１０１    リフト（設備）
１０２    センターハウス
Ｍ        入場者
【図１】
2020077153.tif 000003
【図２】
2020077153.tif 000004
【図３】
2020077153.tif 000005
【図４】
2020077153.tif 000006
【図５】
2020077153.tif 000007
【図６】
2020077153.tif 000008
【図７】
2020077153.tif 000009
【図８】
2020077153.tif 000010